(57)【要約】      （修正有）【解決手段】前身頃１に対して横向きに開口するポケット口２と、このポケット口２から投入した物品Ｔを受け止めることができる受底部Ｄと、この受底部Ｄで受け止められた物品Ｔを取り出すことができる取出口Ｅを前身頃１に対して形成する第１のポケット袋Ｐ１と、この第１のポケット袋Ｐ１と重なり合っていて前身頃１に対して上向きに開口するポケット口３を有する第２のポケット袋Ｐ２とからなる二重ポケットＰを備えている。【効果】前身頃に対して横向きに開口するポケット口から投入した携帯電話、眼鏡その他の物品Ｔが受底部Ｄで受け止められ、滑り落ちるのを防止できる。前身頃に対して上向きに開口するポケット口を有する通常のポケットとしても利用できるので、極めて便利である。また、二重ポケットＰの縦方向の長さを短縮できるので、それを衣類に取り付けた場合でも極めて体裁が良く、ポケットとして取り扱いやすい。【選択図】図５
0003135007.tif 000002
【実用新案登録請求の範囲】
【請求項１】
上側のポケット口と、このポケット口から投入した物品を受け止めることができる受底部と、この受底部で受け止められた物品を取り出すことができる取出口を形成する第１のポケット袋と、この第１のポケット袋と重なり合っていて身頃に対して上向きに開口するポケット口を有する第２のポケット袋とからなる二重ポケットを備えたことを特徴とする衣類。
【請求項２】
第１のポケット袋の上端縁が身頃に縫着されており、この第１のポケット袋の外側に第２のポケット袋を重ね合わせて縫着することを特徴とする請求項１記載の衣類。
【請求項３】
上側のポケット口の入口付近が２枚重ねとなるように折り返され、それらの端縁が遊片となっていることを特徴とする請求項１記載の衣類。
【請求項４】
第１のポケット袋を１枚ものからなるものとしたことを特徴とする請求項１または２記載の衣類。
【請求項５】
背広、ブレザーコート、カッターシャツ、スポーツシャツ、ジャンパー、ブルゾン、チョッキ、セーター、カーディガン、婦人服、ブラウス、作業服、エプロンその他の上衣に適用されることを特徴とする請求項１〜４のいずれかに記載の衣類。
【請求項６】
背広、婦人服、作業服のズボン、スラックス、スカート、前掛けその他の下衣に適用されることを特徴とする請求項１〜４のいずれかに記載の衣類。
【考案の詳細な説明】
【技術分野】
【０００１】
本考案は、上側のポケット口から携帯電話、眼鏡その他の小物を入れて下側の取出口から取り出すことができるようにした第１のポケット袋と、この第１のポケット袋と重なり合っていて身頃に対して上向きに開口するポケット口を有する第２のポケット袋とからなる二重ポケットを備えた衣類に関するものである。
【背景技術】
【０００２】
背広やブレザーコートのように、芯地を有する比較的厚地の上衣であって、ポケットを複数備えている上衣を着用した場合、携帯電話、眼鏡その他の小物は、通常、上衣の胸ポケットや脇ポケット、あるいは、内ポケットに入れて持ち歩いている。また、近年の携帯電話の普及に合わせて、上衣の表側や内側に携帯電話を入れるための専用ポケットを設けたものも販売されている。
【０００３】
一方、カッターシャツ、スポーツシャツ、ジャンパー、ブルゾン、チョッキ、セーター、カーディガン、婦人服、ブラウス、作業服、エプロンその他の簡易な形式の上衣であって、外ポケットを有する上衣を着用した場合、携帯電話、眼鏡その他の小物は、通常、外ポケットに入れて持ち歩いている。
【考案の開示】
【考案が解決しようとする課題】
【０００４】
携帯電話、眼鏡その他の小物を上衣の胸ポケットや脇ポケット、あるいは、内ポケットに入れた場合には、ポケットが膨らんで体裁が悪く、特に、胸ポケットの場合、通常の深さでは入れた物がちょうど胸の上に当り、胸を圧迫する不快感がある。また、脇ポケットや内ポケットに入れた場合には、入れた物が中で斜めになったり、横向くなどみだりに動くことが多い。さらに、内ポケットは通常財布等の深さに合わせてあるから、手を深く差し入れないと取り出しにくく、出し入れが以外に煩わしい。特に、携帯電話のようにかかってくる度ごとにポケットに手を突っ込んで取り出し、通話後においては再びポケットにしまわなければならないものでは、出し入れが煩わしく、その回数も相当多くなる。
【０００５】
また、携帯電話、眼鏡その他の小物を外ポケットに入れた場合には、このポケット口にファスナーが付いていてそれを締めない限り、前かがみになったとき、外ポケットから小物が滑り落ちるという欠点がある。特に、前かがみになるたびごとにその事態が生じるから、はなはだ都合が悪い。
【０００６】
そこで、上側のポケット口からすっと入れて下側の取出口から簡単に取り出すことができれば、出し入れの煩わしさもなくなり、また、上側のポケット口から投入した物を一旦受け止めておくことができれば、ポケットが膨らんだり、嵩張ることもないので、非常に有利である。上側のポケット口から投入した物を一旦受け止めておくことができれば、前かがみになっても外ポケットから小物が滑り落ちることもない。
本考案者は、このような要望に応えることができる上衣を以前に開発し、既に特許を取得している（特許文献１参照）。
【０００７】
【特許文献１】特許第３５８９６５５号公報
【０００８】
本考案は、前記特許に係る上衣に備えられているポケットの基本構造をそのまま踏襲しながら、上側のポケット口を有する第１のポケット袋と、この第１のポケット袋と重なり合っていて身頃に対して上向きに開口するポケット口を有する第２のポケット袋とからなる二重ポケットを備えることによって、上側のポケット口から投入した携帯電話、眼鏡その他の小物が滑り落ちるのを防止できるのみならず、身頃に対して上向きに開口するポケット口を有する通常のポケットとしても利用できるようにしたものである。
【０００９】
また、上で例示した上衣の場合のみならず、背広、婦人服、作業服のズボン、スラックス、スカート、前掛けその他の下衣の場合にも上述した場合と同様の事態が起り得るので、これら下衣の場合においても、上側のポケット口から投入した携帯電話、眼鏡その他の小物が滑り落ちるのを防止でき、また、身頃に対して上向きに開口するポケット口を有する通常のポケットとしても利用できれば、極めて有利である。
【課題を解決するための手段】
【００１０】
このような使い方ができるようにするために、本考案では、上側のポケット口と、このポケット口から投入した物品を受け止めることができる受底部と、この受底部で受け止められた物品を取り出すことができる取出口を形成する第１のポケット袋と、この第１のポケット袋と重なり合っていて身頃に対して上向きに開口するポケット口を有する第２のポケット袋とからなる二重ポケットを備えたものとする。
このようにすると、上側のポケット口から投入した携帯電話、眼鏡その他の小物が受底部で受け止められ、滑り落ちるのを防止できるのみならず、身頃に対して上向きに開口するポケット口を有する通常のポケットとしても利用できるので、極めて便利である。また、二重ポケットの縦方向の長さを短縮できるので、それを衣類に取り付けた場合でも極めて体裁が良く、ポケットとして取り扱いやすい。
【００１１】
また、本考案の二重ポケットにあっては、取出口の左右両側を除くその間は身頃に縫着されていないので、物品を受け止めている受底部の動きがその外側に位置する第２のポケット袋の上向きに開口するポケット口を開かないように作用し、たとえうつむいたとしても第２のポケット袋に入れた物品が上向きに開口するポケット口から滑り落ちにくくなる。
【００１２】
第１のポケット袋の上端縁が身頃に縫着されており、この第１のポケット袋の外側に第２のポケット袋を重ね合わせて縫着するのがよい。
このようにすると、第１のポケット袋の外側に位置する第２のポケット袋に小物を入れたとしても、その重みを上端縁が身頃に縫着されている第１のポケット袋が受け止めてくれるので、身頃に対して上向きに開口する第２のポケット袋のポケット口が妄りに開くことがない。
【００１３】
上側のポケット口の入口付近が２枚重ねとなるように折り返され、それらの端縁が遊片となっているのがよい。
上側のポケット口の入口付近が２枚重ねとなるように折り返され、それらの端縁が遊片となっていると、受底部で受け止められている物品が上側のポケット口から滑り出ようとしても、前記両遊片が物品を受け止めてくれるので、物品が上側のポケット口から滑り落ちるのを防止できる。
【００１４】
第１のポケット袋を１枚ものからなるものとすることが望ましい。このようにすると、極めて簡単に第１のポケット袋を形成することができるのみならず、そのための縫製作業工程を減らすこともできる。
【００１５】
本考案は、背広、ブレザーコート、カッターシャツ、スポーツシャツ、ジャンパー、ブルゾン、チョッキ、セーター、カーディガン、婦人服、ブラウス、作業服、エプロンその他の上衣に適用することができる。
このように、本考案の最も重要な構成要件というべきポケットは、上に例示したような様々な上衣に適用することができ、このポケットを採用した上衣を着用した場合には、上側のポケット口から投入した携帯電話、眼鏡その他の小物が滑り落ちるのを防止できるのみならず、身頃に対して上向きに開口するポケット口を有する通常のポケットとしても利用できる。また、二重ポケットの縦方向の長さを短縮できるので、それを上衣に取り付けた場合でも極めて体裁が良く、ポケットとして取り扱いやすい。
【００１６】
また、本考案は、背広、婦人服、作業服のズボン、スラックス、スカート、前掛けその他の下衣に適用することができる。
このように、本考案の最も重要な構成要件というべきポケットは、上に例示したような様々な下衣に適用することができ、このポケットを採用した下衣を着用した場合には、上側のポケット口から投入した携帯電話、眼鏡その他の小物が滑り落ちるのを防止できるのみならず、身頃に対して上向きに開口するポケット口を有する通常のポケットとしても利用できる。また、二重ポケットの縦方向の長さを短縮できるので、それを下衣に取り付けた場合でも極めて体裁が良く、ポケットとして取り扱いやすい。
【考案の効果】
【００１７】
請求項１記載の考案によれば、上側のポケット口から投入した携帯電話、眼鏡その他の小物が受底部で受け止められ、滑り落ちるのを防止できるのみならず、身頃に対して上向きに開口するポケット口を有する通常のポケットとしても利用できるので、極めて便利である。また、二重ポケットの縦方向の長さを短縮できるので、それを衣類に取り付けた場合でも極めて体裁が良く、ポケットとして取り扱いやすい。特に、取出口の左右両側を除くその間は身頃に縫着されていないので、物品を受け止めている受底部の動きがその外側に位置する第２のポケット袋の上向きに開口するポケット口を開かないように作用し、たとえうつむいたとしても第２のポケット袋に入れた物品が上向きに開口するポケット口から滑り落ちにくくなる。
【００１８】
請求項２記載の考案によれば、第１のポケット袋の外側に位置する第２のポケット袋に小物を入れたとしても、その重みを上端縁が身頃に縫着されている第１のポケット袋が受け止めてくれるので、身頃に対して上向きに開口する第２のポケット袋のポケット口が妄りに開くことがない。
【００１９】
請求項３記載の考案によれば、受底部で受け止められている物品が上側のポケット口から滑り出ようとしても、上側のポケット口の入口付近が２枚重ねとなるように折り返され、それらの端縁の遊片部分で物品を受け止めてくれるので、物品が上側のポケット口から滑り落ちるのを防止できる。
【００２０】
請求項４記載の考案によれば、極めて簡単に第１のポケット袋を形成することができるのみならず、そのための縫製作業工程を減らすこともできる。
【００２１】
請求項５記載の考案によれば、この考案を様々な上衣に適用することができ、このポケットを採用した上衣を着用した場合には、上側のポケット口から投入した携帯電話、眼鏡その他の小物が滑り落ちるのを防止できるのみならず、身頃に対して上向きに開口するポケット口を有する通常のポケットとしても利用できる。また、二重ポケットの縦方向の長さを短縮できるので、それを上衣に取り付けた場合でも極めて体裁が良く、ポケットとして取り扱いやすい。
【００２２】
請求項６記載の考案によれば、この考案を様々な下衣に適用することができ、このポケットを採用した下衣を着用した場合には、上側のポケット口から投入した携帯電話、眼鏡その他の小物が滑り落ちるのを防止できるのみならず、身頃に対して上向きに開口するポケット口を有する通常のポケットとしても利用できる。また、二重ポケットの縦方向の長さを短縮できるので、それを下衣に取り付けた場合でも極めて体裁が良く、ポケットとして取り扱いやすい。
【考案を実施するための最良の形態】
【００２３】
背広、ブレザーコート、カッターシャツ、スポーツシャツ、ジャンパー、ブルゾン、チョッキ、セーター、カーディガン、婦人服、ブラウス、作業服、エプロンその他の上衣のうち、カッターシャツに適用した場合を例に挙げて、本考案を詳細に説明する。
図１〜図６に第１の実施の形態を、図８〜図１０に第１の実施の形態の変形例である第２の実施の形態を示す。
【００２４】
図１に示すように、カッターシャツの前身頃１のうちポケット口が上向きに開口している通常のポケットを設ける付近に、前身頃１に対して横向きに開口するポケット口２を有する第１のポケット袋Ｐ１と、前身頃１に対して上向きに開口するポケット口３を有する第２のポケット袋Ｐ２とからなる二重ポケットＰが取り付けられている。ここでは、前身頃１の外側（図２、図５、図６では右側、図３、図４では下側）に第１のポケット袋Ｐ１を取り付け、さらに、その外側に第２のポケット袋Ｐ２を取り付けた場合を例示する。従って、前身頃１に対して横向きに開口するポケット口２は、図３に示すように、第２のポケット袋Ｐ２の奥に位置することになる。
【００２５】
第１のポケット袋Ｐ１は、前身頃１側に配置される方形状の案内布４と、この案内布４の外側に配置される方形状の受底部形成布５の２枚を重ね合わせて構成されている。そして、前記受底部形成布５の下部を図２に示すように前身頃１側に側面Ｕ字状に折り曲げ、その底部分に前記ポケット口２から投入した物品Ｔを受け止めることができる受底部Ｄを形成する。
【００２６】
この状態で、前記案内布４については、その４辺のうち下端縁を除く他の３つの端縁を前身頃１に縫着４ａするとともに、縫着されていない案内布４の下端縁を含む左右の縫着４ａ，４ａ間部分を前記受底部Ｄ内に差し込んだ状態とする。一方、受底部形成布５については、その上端縁と、図１、図３、図４の右側である側端縁と、図１、図３、図４の左側である側端縁のうち図１のＨで示す上側所定長さを除く下部側端縁とをいずれも前身頃１に縫着５ａする。
【００２７】
かくして、図１のＨで示す部分（上述したように、この部分は縫着されていない）が第１のポケット袋Ｐ１の横向きに開口するポケット口２となり、また、受底部形成布５の前身頃１側に折り曲げられた部分と前身頃１との間が下側の取出口Ｅとなる。
横向きに開口するポケット口２から物品Ｔを投入すると、それが案内布４で案内されて受底部Ｄに達し、この受底部Ｄで物品Ｔを確実に受け止めることができる。従って、横向きに開口するポケット口２から投入した物品Ｔを紛失することがなく、また、第１のポケット袋Ｐ１が膨らむことが少なく、嵩張ることもない。
【００２８】
一方、第１のポケット袋Ｐ１の受底部Ｄを手指で軽く押し上げながら受底部Ｄ内の物品Ｔを受底部Ｄから押し出すと、その中に受け止められていた物品Ｔを図６の矢印で示すように前記取出口Ｅから簡単に取り出すことができる。
すなわち、本考案では、横向きに開口するポケット口２からすっと入れて下側の取出口Ｅから簡単に取り出すことができるので、出し入れの煩わしさを解消することができる。
【００２９】
上述したように、第１のポケット袋Ｐ１の受底部形成布５の上端縁は前身頃１に縫着５ａされており、この第１のポケット袋Ｐ１の外側に第２のポケット袋Ｐ２を重ね合わせて縫着している（詳細な説明は後述する）。
従って、第１のポケット袋Ｐ１の外側に位置する第２のポケット袋Ｐ２に小物を入れたとしても、その重みを上端縁が身頃に縫着されている第１のポケット袋Ｐ１の受底部形成布５が受け止めてくれるので、前身頃１に対して上向きに開口する第２のポケット袋Ｐ２のポケット口３が妄りに開くことがない。
【００３０】
特に、ここに例示する二重ポケットにあっては、取出口Ｅの左右両側は前身頃１に縫着されているが、その間は縫着されていない（取出口Ｅの左右両側を除くその間は前身頃１に縫着されていない）ので、物品Ｔを受け止めている受底部Ｄの動きがその外側に位置する第２のポケット袋の上向きに開口するポケット口を開かないように作用する。  すなわち、図１１に示すように、物品Ｔを受け止めている受底部Ｄが前身頃１から垂れ下がり、その外側に位置する第２のポケット袋Ｐ２の上向きに開口するポケット口３を開かないように作用する。したがって、たとえうつむいたとしても第２のポケット袋Ｐ２に入れた物品Ｔが上向きに開口するポケット口３から滑り落ちにくくなる。
【００３１】
これに対して、上向きに開口する通常のポケットＰ’にあっては、取出口Ｅの左右両側のみならず、その間である下縁部分も前身頃１に縫着されているので、このポケットＰ’に入れた物品Ｔの重みでポケット生地を押し、図１２に示すように、上向きに開口するポケット口を開くように作用する。したがって、うつむくとポケットＰ’に入れた物品Ｔが上向きに開口するポケット口ｐ’から滑り落ちやすい。
【００３２】
このように、ここに例示した二重ポケットを備えた衣類にあっては、上向きに開口する通常のポケットＰ’を備えた衣類に比べて、第２のポケット袋Ｐ２に入れた物品Ｔが上向きに開口するポケット口３から滑り落ちにくくなるという特長を有している点でも極めて画期的である。
【００３３】
横向きに開口する前記ポケット口２の入口においては、図３に示すように、案内布４及び受底部形成布５が２枚重ねとなるように折り返され、折り返されているポケット口布４ｂ，５ｂの端縁はひらひらする遊片となっている。
このように、ポケット口２の入口付近が２枚重ねとなるように折り返され、折り返されているポケット口布４ｂ，５ｂの端縁がひらひらする遊片となっていると、受底部３で受け止められている物品Ｔが横向きに開口するポケット口２から滑り出ようとしても、両遊片が口を開いて物品Ｔを受け止めてくれるので、物品Ｔが横向きに開口するポケット口２から滑り落ちるのを防止できる。
なお、案内布４の下端縁及び受底部形成布５の前身頃１側に折り曲げられた部分の上端縁をそれぞれ折り返して縫着してある。
【００３４】
前記第１のポケット袋Ｐ１は案内布４と受底部形成布５の２枚の生地で形成しても良いし、図７に示すように、両布４，５が連接された１枚ものからなるものとしても良い。後者の場合には、案内布４と受底部形成布５の折目線４ｃ，５ｃでポケット口布４ｂ，５ｂを折り畳み、次いで、案内布４と受底部形成布５の連接部分である折目線１０で案内布４を裏側に折り畳み、最後に、受底部形成布５の折目線５ｄでそれより下側の部分５Ｄを裏側に折り畳むと、極めて簡単に第１のポケット袋Ｐ１を形成することができるのみならず、そのための縫製作業工程を減らすこともできる。そして、上述したように、その所定位置を前身頃１に縫着すれば良い。
【００３５】
前記第１のポケット袋Ｐ１の外側に第２のポケット袋Ｐ２が取り付けられている。このポケット袋Ｐ２は前身頃１に対して上向きに開口するポケット口３を有するものであり、従来の場合と同様に、前身頃１に対して上向きに開口するポケット口３を有する通常のポケットとしても利用できる。
このポケット袋Ｐ２は方形状の１枚の生地で構成され、その上端縁を除く図１、図３、図４の右側の側端縁は直接前身頃１に縫着６されている。また、図１、図３、図４の左側の側端縁は、横向きに開口するポケット口２部分では、図３に示すように、第１のポケット袋Ｐ１の最も外側に位置する受底部形成布５に縫着７され、ポケット口２の下側の部分では、図４に示すように、受底部形成布５から前身頃１に達するまで縫着８されている。さらに、ポケット袋Ｐ２の図１における下端縁は、図２に示すように、前記受底部形成布５に縫着９されている。
【００３６】
図１〜図６では、受底部形成布５の下部を前身頃１側に側面Ｕ字状に折り曲げ、その底部分に受底部Ｄを形成したが、それに代えて図８〜図１０に示すように、受底部形成布５を前身頃１側に配置し、その下部を前身頃１とは反対側である外側方向に側面Ｕ字状に折り曲げ、その底部分に受底部Ｄが形成されるようにしてもよい。この場合には、前記案内布４を受底部形成布５よりも外側に位置させる。
【００３７】
そして、この第２の実施の形態の場合には、前記案内布４については、その４辺のうち下端縁を除く他の３つの端縁を前身頃１に縫着するとともに、縫着されていない案内布４の下端縁を含む左右の縫着間部分を前記受底部Ｄ内に差し込んだ状態とする。一方、受底部形成布５については、その上端縁と、図１、図３、図４の右側に相当する側端縁と、図１、図３、図４の左側に相当する側端縁のうち図１のＨで示す上側所定長さを除く下部側端縁とをいずれも前身頃１に縫着する。すると、図１のＨで示す部分（上述したように、この部分は縫着されていない）に相当する部分が第１のポケット袋Ｐ１の横向きに開口するポケット口２となる。
【００３８】
一方、第２の実施の形態の場合には、この第１のポケット袋Ｐ１の外側に第２のポケット袋Ｐ２が配置されるが、その場合には、図８〜図１０に示すように、第２のポケット袋Ｐ２の表地ｐ２と第１のポケット袋Ｐ１との間に第２のポケット袋Ｐ２の袋地ｐ２’を介在させ、前記表地ｐ１と前記袋地ｐ２’とで第２のポケット袋Ｐ２が形成されるようにする。そして、前記表地ｐ１と前記袋地ｐ２’とが２枚の生地からなる場合には、両生地の下端縁を縫着して第２のポケット袋Ｐ２の袋部を形成するとともに、前記袋地ｐ２’の上端縁を第１のポケット袋Ｐ１に縫着する。また、前記表地ｐ１と前記袋地ｐ２’とが１枚の生地からなる場合には、第２のポケット袋Ｐ２の袋部が形成されるように両生地を折り返し、前記袋地ｐ２’の上端縁を第１のポケット袋Ｐ１に縫着する。なお、第２のポケット袋Ｐ２の左右両端縁については、第１の実施の形態の場合と同様の縫着を行う。
【００３９】
第２の実施の形態の場合には、受底部形成布５の前身頃１と反対側である外側方向に折り曲げられた部分と第２のポケット袋Ｐ２の袋地ｐ２’との間が下側の取出口Ｅとなり、第２のポケット袋Ｐ２の表地ｐ２と袋地ｐ２’と の間であるポケット口部分が上側に開口するポケット口３となる。
第１の実施の形態の場合と同様に、横向きに開口するポケット口２から物品Ｔを投入すると、それが図９に示すように案内布４で案内されて受底部Ｄに達し、この受底部Ｄで物品Ｔを確実に受け止めることができる。従って、横向きに開口するポケット口２から投入した物品Ｔを紛失することがなく、また、第１のポケット袋Ｐ１が膨らむことが少なく、嵩張ることもない。
【００４０】
一方、第１のポケット袋Ｐ１の受底部Ｄを手指で軽く押し上げながら受底部Ｄ内の物品Ｔを受底部Ｄから押し出すと、図１０に示すように、その中に受け止められていた物品Ｔを第１のポケット袋Ｐ１と第２のポケット袋Ｐ２の袋地ｐ２’との間に位置させることができ、そのまま図１０の矢印で示すように前記取出口Ｅから簡単に取り出すことができる。
このように、第２の実施の形態の場合にあっても、第１の実施の形態の場合と同様に、横向きに開口するポケット口２からすっと入れて下側の取出口Ｅから簡単に取り出すことができるので、出し入れの煩わしさを解消することができる。
【００４１】
第１の実施の形態である二重ポケットを備えた衣類が上向きに開口する通常のポケットを備えた衣類に比べて利点を有することは、図１０、図１１を例に挙げてすでに説明したが、第２の実施の形態の場合にあっても、第１の実施の形態の場合と同様の利点を有している。
【００４２】
ここでは、第１の実施の形態の場合、第２の実施の形態の場合とも、上側のポケット口２が前身頃１に対して横向きに開口する場合について例示したが、上側のポケット口２を上向きに開口させても良い。この場合においては、ポケット口２の横向きに開口する部分を閉じ、ポケット袋Ｐ１の上端縁部分のうち上向きに開口するポケット口２を除いた部分を前身頃１に縫い付け、それ以外の部分は横向きに開口する場合と同じように縫着すれば良い。
このようにすると、上向きに開口するポケット口２から携帯電話、眼鏡その他の物品Ｔを投入することができ、上向きに開口するポケット口２から投入した携帯電話、眼鏡その他の物品Ｔを受底部Ｄで受け止めることができる。
【００４３】
このように、本考案による衣類は、横向きもしくは上向きに開口する上側のポケット口２と、このポケット口２から投入した物品Ｔを受け止めることができる受底部Ｄと、この受底部Ｄで受け止められた物品Ｔを取り出すことができる取出口Ｅを形成する第１のポケット袋Ｐ１と、この第１のポケット袋Ｐ１と重なり合っていて前身頃１に対して上向きに開口するポケット口３を有する第２のポケット袋Ｐ２とからなる二重ポケットＰを備えている。
従って、上側のポケット口２から投入した携帯電話、眼鏡その他の物品Ｔが受底部Ｄで受け止められ、滑り落ちるのを防止できるのみならず、前身頃１に対して上向きに開口するポケット口３を有する通常のポケットとしても利用できるので、極めて便利である。また、二重ポケットＰの縦方向の長さを短縮できるので、それを衣類に取り付けた場合でも極めて体裁が良く、ポケットとして取り扱いやすい。
【００４４】
ここでは、カッターシャツに適用した場合を例に挙げて本考案を説明したが、カッターシャツ以外の上衣、例えば、背広、ブレザーコート、カッターシャツ、スポーツシャツ、ジャンパー、ブルゾン、チョッキ、セーター、カーディガン、婦人服、ブラウス、作業服、エプロンなどに広く適用できる。
【００４５】
また、本考案は上記上衣以外に、背広、婦人服、作業服のズボン、スラックス、スカート、前掛けその他の下衣に適用することができる。この場合においても、本考案を上衣に適用した場合と同様の効果を発揮する。
【図面の簡単な説明】
【００４６】
【図１】本考案をカッターシャツに適用した場合であって、上側のポケット口が横向きに開口する場合の一例（第１の実施の形態）を示す概略正面図である。
【図２】図１のＡ−Ａ線拡大断面図である。
【図３】図１のＢ−Ｂ線拡大断面図である。
【図４】図１のＣ−Ｃ線拡大断面図である。
【図５】第１のポケット袋の受底部で物品が受け止められている状態を示す拡大断面図である。
【図６】第１のポケット袋の受底部で受け止められていた物品を、取出口から取り出す状態を示す拡大断面図である。
【図７】横向きに開口する上側のポケット口を有する第１のポケット袋を、１枚ものからなるものとした場合の一例を示す展開図である。
【図８】第１の実施の形態の変形例である第２の実施の形態の一例を示す断面図である。
【図９】図８に示す第１のポケット袋の受底部で物品が受け止められている状態を示す拡大断面図である。
【図１０】図８に示す第１のポケット袋の受底部で受け止められていた物品を、取出口から取り出す状態を示す拡大断面図である。
【図１１】第１の実施の形態である二重ポケットを備えた衣類が上向きに開口する通常のポケットを備えた衣類に比べて利点を有することを説明するための端面図である。
【図１２】上向きに開口する通常のポケットを備えた衣類の欠点を説明するための断面図である。
【符号の説明】
【００４７】
１…前身頃、２，３…ポケット口、４…案内布、４ｂ…ポケット口布、５…受底部形成布、５ｂ…ポケット口布、Ｄ…受底部、Ｅ…取出口、Ｐ…二重ポケット、Ｐ１…第１のポケット袋、Ｐ２…第２のポケット袋。
【図１】
0003135007.tif 000003
【図２】
0003135007.tif 000004
【図３】
0003135007.tif 000005
【図４】
0003135007.tif 000006
【図５】
0003135007.tif 000007
【図６】
0003135007.tif 000008
【図７】
0003135007.tif 000009
【図８】
0003135007.tif 000010
【図９】
0003135007.tif 000011
【図１０】
0003135007.tif 000012
【図１１】
0003135007.tif 000013
【図１２】
0003135007.tif 000014
【手続補正書】
【提出日】平成19年6月20日(2007.6.20)
【手続補正１】
【補正対象書類名】図面
【補正対象項目名】図８
【補正方法】変更
【補正の内容】
【図８】
0003135007.tif 000015